(57)【要約】【課題】装着時に要する力が少なくて済み、取り付け作業が行いやすい天井部材押えクリップを提案する。【解決手段】本発明の天井部材押えクリップ１は、システム天井の枠組みを形成するＴバー１００に装着され、Ｔバー１００に載置された天井部材１１０を下方に向けて押えるものであって、頂壁２と、頂壁２から下方に向けてそれぞれ延在するとともに、ヘッド１０１に差し込んでヘッド１０１に支持される一対の側壁３と、側壁３のそれぞれに連結するとともに側壁３から離反する向きに延在して天井部材１１０を押える一対の開脚壁８と、開脚壁８に連結する一端部９、及び側壁３をヘッド１０１に差し込んだ状態でヘッド１０１の下部に係合する他端部１０を有する係止片１１と、を備える。【選択図】図３
2020100975.tif 000002
【特許請求の範囲】
【請求項１】
システム天井の枠組みを形成するＴバーに装着され、該Ｔバーに載置された天井部材を下方に向けて押える天井部材押えクリップであって、
頂壁と、
前記頂壁から下方に向けてそれぞれ延在するとともに、前記Ｔバーのヘッドに差し込んで該ヘッドに支持される一対の側壁と、
前記側壁のそれぞれに連結するとともに該側壁から離反する向きに延在して前記天井部材を押える一対の開脚壁と、
前記開脚壁に連結する一端部、及び前記側壁を前記ヘッドに差し込んだ状態で前記ヘッドの下部に係合する他端部を有する係止片と、を備える天井部材押えクリップ。
【請求項２】
前記係止片は、前記一端部から中間部に至る根元部分は前記開脚壁と並んで延在する一方、該中間部から前記他端部に至る先端部分は上下方向に対する角度が前記根元部分よりも小さくなるように屈曲してなる請求項１に記載の天井部材押えクリップ。
【請求項３】
一対の前記開脚壁はそれぞれ、該開脚壁の幅方向に離隔する一対の前記係止片と、一対の該係止片の間に位置する中間柱部と、一対の該係止片の幅方向外側に位置する一対の外側柱部と、を備える請求項１又は２に記載の天井部材押えクリップ。
【請求項４】
一方の前記開脚壁に設けた前記係止片は、他方の前記開脚壁に設けた前記係止片に対して該開脚壁の幅方向にずれている請求項１〜３の何れか一項に記載の天井部材押えクリップ。
【請求項５】
一対の前記開脚壁は、前記側壁から下向き斜めに延在する下向き傾斜部と、該下向き傾斜部から上向き斜めに延在する上向き傾斜部とを有するものであり、該下向き傾斜部と該上向き傾斜部が連結する連結部で前記天井部材を押える一方、該上向き傾斜部の先端部は該天井部材から離反するよう構成してなる請求項１〜４の何れか一項に記載の天井部材押えクリップ。
【請求項６】
一対の前記開脚壁は、前記天井部材の上面に沿って延在する開脚壁本体部と、該開脚壁本体部に連結するとともに該天井部材に食い込む開脚壁爪部と、を備える請求項１〜４の何れか一項に記載の天井部材押えクリップ。
【発明の詳細な説明】
【技術分野】
【０００１】
本発明は、システム天井の枠組みを形成するＴバーに装着され、該Ｔバーに載置された天井部材を下方に向けて押える天井部材押えクリップに関する。
【背景技術】
【０００２】
従来、建物の天井構造としてシステム天井と称される構造が知られている。システム天井は、例えば躯体天井部から吊り下げられた複数の吊り部材と、ジョイント部材（Ｔバーハンガーと称されることもある）を介して吊り部材に支持され、格子状に枠組みされた複数のＴバーと、Ｔバー上に載置される天上部材とから構成される。このようなシステム天井においては、下方からの衝撃や地震による振動などによって天井部材がＴバーから持ち上がり、Ｔバーの枠組みからずれるおそれがあるため、天井部材を下方に向けて押える天井部材押えクリップ（以下、天井部材押えクリップを「クリップ」と称することもある）をＴバーに装着し、これらの不具合を防止している（例えば特許文献１参照）。
【０００３】
特許文献１に示されている従来のクリップは、同文献の図２に示されているように、Ｔバーのヘッド部２１に差し込まれるヘッド差し込み部３１と、ヘッド差し込み部３１における下方に向けて延在する側壁に対して下向き斜め方向に折り曲げるようにして形成した第１開脚部３２と、第１開脚部３２に連結するとともに天井材１を押える第２開脚部３３とを備えるものである。またヘッド差し込み部３１の側壁には、下方の側縁部を起点として側壁と第１開脚部３２との折れ曲がり線まで斜めに切り込まれ、側壁に対して下向き斜め方向に第１開脚部３２を折り曲げることによって切り込みの外側部分が切り起こされるように形成される、抜け出し防止爪３２Ａが設けられている。
【０００４】
このようなクリップによれば、Ｔバーのヘッド部２１に対して下方に向かってヘッド差し込み部３１を差し込めば、差し込み途中では外側に撓んでいた抜け出し防止爪３２Ａが、差し込み完了時においては復元してヘッド部２１の下部に係合する。従って、天井材１が持ち上げられるような振動等が作用してもクリップがＴバーから外れることはなく、天井材１がＴバーの枠組みからずれてしまう不具合を防止することができる。
【先行技術文献】
【特許文献】
【０００５】
【特許文献１】特開平９−９６０４５号公報
【発明の概要】
【発明が解決しようとする課題】
【０００６】
ところで抜け出し防止爪３２Ａは、上述したようにヘッド差し込み部３１の下方の側縁部を起点として折り曲げ線まで切り込むことによって形成されるものであって、その長さは、同文献の図２に示されているように、クリップ全体に比してわずかである。すなわち、クリップをＴバーに装着する際には、抜け出し防止爪３２Ａの長さに比してこれを大きく撓ませなければならず、装着時には過大な力を要することになるため、取り付け作業に難があった。
【０００７】
本発明は、このような問題点を解決することを課題とするものであって、装着時に要する力が少なくて済み、取り付け作業が行いやすい天井部材押えクリップを提供することを目的とする。
【課題を解決するための手段】
【０００８】
本発明の天井部材押えクリップは、システム天井の枠組みを形成するＴバーに装着され、該Ｔバーに載置された天井部材を下方に向けて押えるものであって、頂壁と、前記頂壁から下方に向けてそれぞれ延在するとともに、前記Ｔバーのヘッドに差し込んで該ヘッドに支持される一対の側壁と、前記側壁のそれぞれに連結するとともに該側壁から離反する向きに延在して前記天井部材を押える一対の開脚壁と、前記開脚壁に連結する一端部、及び前記側壁を前記ヘッドに差し込んだ状態で前記ヘッドの下部に係合する他端部を有する係止片と、を備えるものである。
【０００９】
このような天井部材押えクリップにおいて、前記係止片は、前記一端部から中間部に至る根元部分は前記開脚壁と並んで延在する一方、該中間部から前記他端部に至る先端部分は上下方向に対する角度が前記根元部分よりも小さくなるように屈曲するものであることが好ましい。
【００１０】
またこのような天井部材押えクリップにおいて、一対の前記開脚壁はそれぞれ、該開脚壁の幅方向に離隔する一対の前記係止片と、一対の該係止片の間に位置する中間柱部と、一対の該係止片の幅方向外側に位置する一対の外側柱部と、を備えることが好ましい。
【００１１】
そして、一方の前記開脚壁に設けた前記係止片は、他方の前記開脚壁に設けた前記係止片に対して該開脚壁の幅方向にずれていることが好ましい。
【００１２】
また一対の前記開脚壁は、前記側壁から下向き斜めに延在する下向き傾斜部と、該下向き傾斜部から上向き斜めに延在する上向き傾斜部とを有するものであり、該下向き傾斜部と該上向き傾斜部が連結する連結部で前記天井部材を押える一方、該上向き傾斜部の先端部は該天井部材から離反するよう構成することが好ましい。
【００１３】
また一対の前記開脚壁は、前記天井部材の上面に沿って延在する開脚壁本体部と、該開脚壁本体部に連結するとともに該天井部材に食い込む開脚壁爪部と、を備えるものでもよい。
【発明の効果】
【００１４】
本発明に従う天井部材押えクリップにおいて、Ｔバーのヘッド下部に係合する係止片は、開脚壁に連結する一端部からＴバーのヘッド下部に係合する他端部まで延在するものであるため、ヘッド差し込み部の下方の側縁部を起点として折り曲げ線まで切り込むことによって形成される従来の抜け出し防止爪よりも長さが長くなる。すなわち、Ｔバーに装着するときは撓みやすく、装着時に要する力は少なくて済むため、容易に取り付けることができる。
【図面の簡単な説明】
【００１５】
【図１】本発明に従う天井部材押えクリップの第一実施形態を示す、（ａ）は斜視図であり、（ｂ）は側面図（開脚部に正対した図を含む）である。
【図２】（ａ）は図１に示した天井部材押えクリップの平面図であり、（ｂ）は折り曲げ前の展開図である。
【図３】図１の天井部材押えクリップをＴバーに装着した状態を示す図である。
【図４】本発明に従う天井部材押えクリップの第二実施形態を示す、（ａ）は斜視図であり、（ｂ）は側面図である。
【図５】（ａ）は図４に示した天井部材押えクリップの平面図であり、（ｂ）は折り曲げ前の展開図である。
【図６】図４の天井部材押えクリップをＴバーに装着した状態を示す図である。
【発明を実施するための形態】
【００１６】
以下、本発明に従う天井部材押えクリップの第一実施形態について、図１〜図３を参照しながら説明する。なお、本明細書等における「上」、「下」の位置関係は、躯体天井部に取り付けられた状態での向きをいう。
【００１７】
本実施形態の天井部材押えクリップ１（以下、「クリップ１」と称する）は、図２（ｂ）に示すような板金素材Ｐ１を、図中に仮想線でしめすラインで折り曲げて形成したものである。本実施形態の板金素材Ｐ１は、表面処理を施した鉄製のものを使用しているが、ステンレス製のものなど、他の種の素材を採用してもよい。
【００１８】
このように板金素材Ｐ１を折り曲げて形成したクリップ１は、図１（ａ）に示すように、上方に位置する頂壁２を備えている。本実施形態の頂壁２は、図２（ａ）に示すように、平面視で略平行四辺形状に形成されるものである。
【００１９】
頂壁２の両縁部には、下方に向けてそれぞれ延在する一対の側壁３が設けられている。なお、図２（ａ）に示すように頂壁２は平面視で略平行四辺形状であるため、頂壁２の両縁部に連結する側壁３は、幅方向にずれるように対向している。
【００２０】
そしてそれぞれの側壁３の下端には、側壁３から離反するように下向き斜めに延在する下向き傾斜部４が設けられている。また下向き傾斜部４は、その下端に位置する連結部５において、上向き斜めに延在する上向き傾斜部６と連結している。ここで、上向き傾斜部６の先端部７は、図１（ｂ）に示すように連結部５よりも上方に位置している。なお、下向き傾斜部４、連結部５、上向き傾斜部６、先端部７を総称して開脚壁８と称する。
【００２１】
そして開脚壁８は、一端部９が下向き傾斜部４に連結するとともに、他端部１０が頂壁２の下方に位置する係止片１１を備えている。図１（ｂ）に示すように本実施形態の一端部９は、下向き傾斜部４に対し、側壁３と下向き傾斜部４との境界から連結部５に向かう向きでの中間部付近（より厳密には側壁３と下向き傾斜部４との境界寄り）に位置している。また本実施形態の係止片１１は、一端部９と他端部１０との間に位置する中間部１２で屈曲するものである。具体的には、図１（ｂ）に示すように、一端部９から中間部１２まで延在する部位を根元部分１３とし、中間部１２から他端部１０まで延在する部位を先端部分１４とする場合、上下方向に対する根元部分１３の角度Ａ１に対し、上下方向に対する先端部分１４の角度Ａ２は小さくなっている。なお根元部分１３は、下向き傾斜部４と並んで（同方向に）延在している。
【００２２】
なお、本実施形態の係止片１１は、この係止片１１の側方両側及び上方を取り囲むような形態をなすとともに側壁３と下向き傾斜部４を貫通する開口１５によって形成されるものである。本実施形態においては、係止片１１と開口１５で構成される１組が、開脚壁８の幅方向に２組設けられている。これにより側壁３の上部と下向き傾斜部４の下部とは、隣り合う係止片１１の間に位置する中間柱部１６と、これらの係止片１１の幅方向外側に位置する一対の外側柱部１７の３箇所でつながっている。
【００２３】
また本実施形態においては、図２（ａ）に示すように、対をなす開脚壁８における一方の開脚壁８に設けた係止片１１は、他方の開脚壁８に設けた係止片１１に対し、開脚壁８の幅方向にずれて位置している。このため、本実施形態における一方の係止片１１の他端部１０と他方の係止片１１の他端部１０は、図１（ｂ）に示すように側面視で略同一の位置にあるものの、互いに干渉し合うことはない。
【００２４】
このような形態になるクリップ１は、図３に示すようにＴバー１００に装着して、天井部材１１０を下方に向けて押えることができる。本実施形態のＴバー１００は、側面視において縦長の矩形状となるヘッド１０１と、ヘッド１０１の下部中央部から下方に延在する連結壁１０２と、連結壁１０２の下端に連結するとともに側面視において横長の矩形状となる支持部１０３とを備えている。また天井部材１１０は、下部に対して上部が水平方向に突出する段部１１１を備えている。そして枠組みされたＴバー１００に対して、段部１１１が支持部１０３に支持されるようにしてＴバー１００の枠組み内に天井部材１１０が設置される。なお、天井部材１１０は、例えばロックウール（岩綿）材などの比較的硬質のものを使用している。
【００２５】
そしてクリップ１を、一対の側壁３の間の隙間がヘッド１０１に差し込まれるようにして押し込むと、ヘッド１０１における上部の角が係止片１１の先端部分１４に押し当たるため、係止片１１は外側に向かって撓むことになる。なお、本実施形態の係止片１１によれば、中間部１２で屈曲していて、上下方向に対する先端部分１４の角度Ａ２は根元部分１３の角度Ａ１よりも小さいため、屈曲していない場合に比して、ヘッド１０１に押し当たった際に係止片１１が外側に撓みやすいという利点がある。
【００２６】
そしてクリップ１に対する下方への押し込みを継続し、係止片１１における他端部１０がヘッド１０１を越えると、外側に撓んでいた係止片１１が復元し、他端部１０がヘッド１０１の下部に係合する。なお、図３（ａ）に示したようにヘッド１０１と頂壁２との間には、Ｔバー１００に対してクリップ１の装着が完了した際にも隙間が設けられている。すなわち、Ｔバー１００に対してクリップ１を十分に押し込むことができるため、クリップ１を装着する際は、他端部１０がヘッド１０１よりも確実に下方に位置することになり、係止片１１を確実に復元させてヘッド１０１と係止片１１とを係合させることができる。
【００２７】
また、クリップ１を下方へ押し込む際は、開脚壁８が天井部材１１０に押し当たって外側に開いていく。本実施形態の開脚壁８においては、天井部材１１０に押し当たる部位は連結部５であって、開脚壁８の先端部７は連結部５よりも上方に位置しているため、開脚壁８が天井部材１１０に押し当たって外側に開いていく際、先端部７が天井部材１１０に引っ掛かることはない。
【００２８】
このように、クリップ１をＴバー１００に装着すれば、開脚壁８で天井部材１１０を押圧することができるため、天井部材１１０に振動等が作用しても天井部材１１０の浮き上がりを防止することができる。なお、図３（ｂ）に示すように、天井部材１１０から下向き傾斜部４に対して上方に向かう力が加わって、天井部材１１０が下向き傾斜部４を持ち上げようとする際には、係止片１１の一端部９は下向き傾斜部４に連結しているため、係止片１１は一端部９を中心に回転するように動作し、他端部１０はＴバー１００の連結壁１０２に近づくことになる。すなわち、係止片１１の他端部１０は、Ｔバー１００のヘッド１０１により深く係合することになるため、クリップ１が外れてしまう不具合を確実に防止することができる。
【００２９】
本発明に従う天井部材押えクリップは、図４〜図６に示すような実施形態でも具現される。図示した第二実施形態の天井部材押えクリップ２１（以下、「クリップ２１」と称する）は、図５（ｂ）に示すような板金素材Ｐ２を、図中に仮想線でしめすラインで折り曲げて形成したものである。なお、本実施形態の板金素材Ｐ２も、表面処理を施した鉄製のものを使用しているが、ステンレス製のものなど、他の種の素材を採用してもよい。
【００３０】
そして板金素材Ｐ２を折り曲げて形成したクリップ２１は、平面視で矩形状をなす頂壁２２を備えている。頂壁２２の両縁部には、下方に向けてそれぞれ延在する一対の側壁２３が設けられていて、側壁２３の下端には、側壁２３から離反するように水平方向に沿って延在する開脚壁本体部２４が設けられている。また開脚壁本体部２４には、下方に向けて延在するとともに先端を尖らせた開脚壁爪部２５が設けられている。なお、開脚壁本体部２４、開脚壁爪部２５を総称して開脚壁２６と称する。
【００３１】
そして開脚壁２６は、一端部２７が開脚壁本体部２４に連結するとともに、他端部２８が頂壁２２の下方に位置する係止片２９を備えている。本実施形態の一端部２７は、開脚壁本体部２４に対し、側壁２３と開脚壁本体部２４との境界から開脚壁爪部２５に向かう方向での中間部付近（より厳密には側壁２３と開脚壁本体部２４との境界寄り）に位置している。また本実施形態の係止片２９も、一端部２７と他端部２８との間に位置する中間部３０で屈曲するものであって、一端部２７から中間部３０まで延在する部位（根元部分３１）における上下方向に対する角度Ａ３に対し、中間部３０から他端部２８まで延在する部位（先端部分３２）における上下方向に対する角度Ａ４は小さくなっている。なお根元部分３１は、開脚壁本体部２４に並んで（同方向に）延在している。
【００３２】
また本実施形態の係止片２９も、この係止片２９の側方両側及び上方を取り囲むような形態をなすとともに側壁２３と開脚壁本体部２４を貫通する開口３３によって形成されるものである。また係止片２９と開口３３で構成される１組が、開脚壁本体部２４の幅方向に２組設けられていて、これにより、側壁２３の上部と開脚壁本体部２４の下部は、隣り合う係止片２９の間に位置する中間柱部３４と、これらの係止片２９の幅方向外側に位置する一対の外側柱部３５の３箇所でつながっている。
【００３３】
このような形態になるクリップ２１は、図６に示すようにＴバー２００に装着して、天井部材２１０を下方に向けて押えることができる。なお、Ｔバー２００は、側面視において縦長の矩形状となるヘッド２０１と、ヘッド２０１の下部中央部から下方に延在する連結壁２０２と、連結壁２０２の下端に連結するとともに水平方向に延在する支持部２０３とを備えている。また天井部材２１０は、例えばスポンジのように比較的軟質のものを使用している。
【００３４】
そしてクリップ２１を、一対の側壁２３の間の隙間がヘッド２０１に差し込まれるようにして押し込むと、先に説明した第一実施形態と同様に、係止片２９の他端部２８をヘッド２０１の下部に係合させてＴバー２００に装着することができる。なお、装着時においては、開脚壁本体部２４で天井部材２１０を押圧することができるうえ、開脚壁爪部２５は天井部材２１０に刺さるため、天井部材２１０の浮き上がりを防止できるとともにＴバー２００に対する水平方向への移動も防止することができる。また図示は省略するが、本実施形態の係止片２９も、一端部２７は開脚壁本体部２４に連結しているため、天井部材２１０が開脚壁本体部２４を持ち上げようとしても、係止片２９は一端部２７を中心に回転するように動作して、係止片１１の他端部１０がヘッド２０１により深く係合することになる。すなわち本実施形態においても、クリップ２１が外れてしまう不具合を確実に防止することができる。
【００３５】
以上、本発明について具体的な実施形態を示しながら説明したが、本発明に従う天井部材押えクリップは上述した実施形態に限られるものではなく、特許請求の範囲に従う範疇で種々の変更を加えたものも含まれる。例えば係止片１１、２９の数は適宜変更してもよい。またクリップ２１における一方の開脚壁本体部２４に設けた係止片２９は、図５（ａ）に示すように他方の開脚壁本体部２４に設けた係止片２９と対向するものであったが、クリップ１のように、開脚壁本体部２４の幅方向にずらしてもよい。
【符号の説明】
【００３６】
１：天井部材押えクリップ（クリップ）
２：頂壁
３：側壁
４：下向き傾斜部
５：連結部
６：上向き傾斜部
７：先端部
８：開脚壁
９：一端部
１０：他端部
１１：係止片
１２：中間部
１３：根元部分
１４：先端部分
１５：開口
１６：中間柱部
１７：外側柱部
２１：天井部材押えクリップ（クリップ）
２２：頂壁
２３：側壁
２４：開脚壁本体部
２５：開脚壁爪部
２６：開脚壁
２７：一端部
２８：他端部
２９：係止片
３０：中間部
３１：根元部分
３２：先端部分
３３：開口
３４：中間柱部
３５：外側柱部
１００：Ｔバー
１０１：ヘッド
１０２：連結壁
１０３：支持部
１１０：天井部材
１１１：段部
２００：Ｔバー
２０１：ヘッド
２０２：連結壁
２０３：支持部
２１０：天井部材
【図１】
2020100975.tif 000003
【図２】
2020100975.tif 000004
【図３】
2020100975.tif 000005
【図４】
2020100975.tif 000006
【図５】
2020100975.tif 000007
【図６】
2020100975.tif 000008